(57)【要約】【課題】家庭用電源が確保できない作業場においても使用することができながら、経済性にも優れつつ、さらに半田付け作業等の熱処理作業を行う上で操作性を向上させる。【解決手段】電源装置体４０とこて本体２０とを互いに電気的に接続するケーブル３０を介して、電源装置体４０の充電式バッテリ６０からこて本体２０に電力を送るようになっている。このため、電源装置体４０とこて本体２０との機能に関する構造を分離することができつつ、電源装置体４０からこて本体２０への電力の送りが可能となり、半田ごて装置１０として手で持つ重量を軽くすることができて、ユーザが扱うにあたってのハンドリングを向上させることができる。また、電源装置体４０に装着されて電源となる充電式バッテリ６０は、電動工具の工具本体に装着されて電動工具の電源となる電動工具用の充電式バッテリ６０である。【選択図】図２
2013193101.tif 000002
【特許請求の範囲】
【請求項１】
電力を熱力に変換して発熱する発熱部を具備する工具本体と、電源となる充電式バッテリが装着可能にされ且つ装着された該充電式バッテリの放電を制御する制御部を具備する電源装置体と、を備え、
前記制御部の制御に要因して前記電源装置体に装着された前記充電式バッテリの電力を前記工具本体の前記発熱部に送るにあたり、該電源装置体と該工具本体とを互いに電気的に接続するケーブルを介して該電源装置体から該工具本体に電力を送ることを特徴とする電熱工具。
【請求項２】
請求項１に記載の電熱工具において、
前記制御部は、前記充電式バッテリから送信される信号に基づいて前記工具本体に送る電力を停止することを特徴とする電熱工具。
【請求項３】
請求項１または請求項２に記載の電熱工具において、
前記制御部は、前記発熱部の発熱温度を調整することを特徴とする電熱工具。
【請求項４】
請求項１から請求項３のいずれかに記載の電熱工具において、
前記制御部には、該電源装置体に装着された前記充電式バッテリの放電電圧を昇降圧させる昇降圧部が設けられていることを特徴とする電熱工具。
【請求項５】
請求項１から請求項４のいずれかに記載の電熱工具において、
前記電源装置体には、前記工具本体を収納保持する工具収納保持部が設けられていることを特徴とする電熱工具。
【請求項６】
請求項５に記載の電熱工具において、
前記工具収納保持部には、収納保持している前記工具本体の少なくとも発熱部位を冷却する冷却作用部が設けられていることを特徴とする電熱工具。
【請求項７】
請求項５または請求項６に記載の電熱工具において、
前記制御部は、前記工具収納保持部に収納した前記工具本体の収納時間に要因して、前記ケーブルを介して前記電源装置体から前記工具本体に送る電力を停止することを特徴とする電熱工具。
【請求項８】
請求項１から請求項７のいずれかに記載の電熱工具において、
前記電源装置体には、該電源装置体を引掛けられるようにするフック部が設けられていることを特徴とする電熱工具。
【請求項９】
請求項１から請求項８のいずれかに記載の電熱工具において、
前記電源装置体に装着されて電源となる充電式バッテリは、電動工具の工具本体に装着されて該電動工具の電源となる電動工具用の充電式バッテリであることを特徴とする電熱工具。
【請求項１０】
請求項１から請求項９のいずれかに記載の電熱工具において、
前記電源装置体で、前記充電式バッテリの電圧に基づいて、前記工具本体に送る電力を停止することを特徴とする電熱工具。
【発明の詳細な説明】
【技術分野】
【０００１】
本発明は、電力を熱力に変換する発熱回路を具備して構成される電熱工具に関する。
【背景技術】
【０００２】
従来、例えば端子や導線等を電気的に接合する際、半田付けが広く利用されている。この半田付けには半田ごてが利用される。この半田ごては、電力を熱力に変換するヒータを内蔵する。このようにヒータを内蔵する半田ごてのこて先は、このヒータによる熱力により半田を溶融する温度まで加熱されて半田付け可能な状態となる。
ところで下記特許文献１では、電源として乾電池を用いた半田ごてである。この半田ごてによれば、乾電池を複数に纏めて電源カートリッジとし、この電源カートリッジを半田ごて本体に装着している。この半田ごてによれば、乾電池等を複数に纏めた電源カートリッジを電源として使用することができるので、ＡＣ電源が確保できない作業場でも使用することができて便利である。
さらに、このように半田ごての電源に充電式のバッテリを用いた場合には、このような利便性を享受することができる上、充電による繰り返し利用できる利点も享受することができて経済性の観点からも有利となる。
【先行技術文献】
【特許文献】
【０００３】
【特許文献１】特開２００６−２６７４４号
【発明の概要】
【発明が解決しようとする課題】
【０００４】
しかしながら、上記した半田ごてでは、半田ごて本体に電源カートリッジを装着するように構成されている。このため、ユーザが扱う際の半田ごての重量は、半田ごて本体の重量に加えて電源カートリッジの重量も加えられることとなる。そうすると、ユーザが半田ごてを手で持ちながら半田付け作業を行おうとすると、ユーザが手で持つ重量が重くなってしまって、半田ごてを扱う際のハンドリングが悪くなってしまう。さらに言えば、こて使用時間をより長くしたり、こて先温度温度をより上げたりしようとすると、半田ごて本体に装着する電源カートリッジの容量は増するので、このようなハンドリングが悪くなる問題は、より顕著な問題となってしまう。
【０００５】
本発明は、このような事情に鑑みなされたものであって、本発明が解決しようとする課題は、電力を熱力に変換する発熱回路を具備して構成される電熱工具において、家庭用電源（ＡＣ電源）が確保できない作業場においても使用することができながら、経済性にも優れつつ、さらに半田付け作業等の熱処理作業を行う上で操作性を向上させたものとすることにある。
【課題を解決するための手段】
【０００６】
上記した課題を解決するにあたって、本発明に係る電熱工具は次の手段をとる。
すなわち、本発明の第１の発明に係る電熱工具は、電力を熱力に変換して発熱する発熱部を具備する工具本体と、電源となる充電式バッテリが装着可能にされ且つ装着された該充電式バッテリの放電を制御する制御部を具備する電源装置体と、を備え、前記制御部の制御に要因して前記電源装置体に装着された前記充電式バッテリの電力を前記工具本体の前記発熱部に送るにあたり、該電源装置体と該工具本体とを互いに電気的に接続するケーブルを介して該電源装置体から該工具本体に電力を送ることを特徴とする。
この第１の発明に係る電熱工具によれば、電源装置体と工具本体とを互いに電気的に接続するケーブルを介して電源装置体の充電式バッテリから工具本体に電力を送るようになっているので、電源装置体と工具本体との機能に関する構造を分離できつつ、電源装置体から工具本体への電力の送りが可能となる。これによって、電源等に関しての重量をユーザが手で持って扱う工具本体から切り離すことができて、電熱工具として手で持つ重量を軽くすることができて、ユーザが扱うにあたってのハンドリングを向上させることができる。したがって、この第１の発明に係る電熱工具によれば、電源として充電式バッテリを利用しているので、電源として家庭用電源（ＡＣ電源）が確保できない作業場においても使用することができ、電源として繰り返し利用することができて経済性にも優れる上で、さらに半田付け作業等の熱処理作業を行う上で操作性を向上させることができる。
【０００７】
第２の発明に係る電熱工具は、前記第１の発明に係る電熱工具において、前記制御部は、前記充電式バッテリから送信される信号に基づいて前記工具本体に送る電力を停止することを特徴とする。なお、この「前記工具本体に送る電力の停止」としては、電源装置体に装着される充電式バッテリ自体の放電の停止、また、電源装置体から工具本体に電力を送ることの停止、等が含まれる。この第２の発明に係る電熱工具によれば、制御部は、充電式バッテリから送信される信号に基づいて工具本体に送る電力を停止するので、充電式バッテリを電源として利用するにあたって該充電式バッテリの充電残量に応じて電熱工具を使用することができる。これによって、ユーザにとって充電式バッテリの残容量に応じた電熱工具の使用が可能となり、ユーザの作業性を高めることができる。
第３の発明に係る電熱工具は、前記第１または前記第２の発明に係る電熱工具において、前記制御部は、前記発熱部の発熱温度を調整することを特徴とする。この第３の発明に係る電熱工具によれば、制御部は発熱部の発熱温度を調整するので、発熱部を作業に適した温度に設定することができて、ユーザの作業性を高めることができる。
第４の発明に係る電熱工具は、前記第１から前記第３のいずれかの発明に係る電熱工具において、前記制御部には、該電源装置体に装着された前記充電式バッテリの放電電圧を昇降圧させる昇降圧部が設けられていることを特徴とする。この第４の発明に係る電熱工具によれば、制御部には電源装置体に装着された充電式バッテリの放電電圧を昇降圧させる昇降圧部が設けられているので、この電源装置体に装着された充電式バッテリの電圧を変圧して、工具本体に電力を送ることができる。これによって、電源装置体に対して相違する電圧の充電式バッテリを装着することができて、電熱工具としての利便性を向上させることができる。
【０００８】
第５の発明に係る電熱工具は、前記第１から前記第４のいずれかの発明に係る電熱工具において、前記電源装置体には、前記工具本体を収納保持する工具収納保持部が設けられていることを特徴とする。この第５の発明に係る電熱工具によれば、電源装置体には工具本体を収納保持する工具収納保持部が設けられているので、例えば工具本体を使用しない場合に、この工具本体を工具収納保持部に収納しておくことができる。これによって、工具本体を載置したりや収納したりする受け部材を廃止することができて、ユーザの扱い易さを高めることができて、電熱工具としての利便性を向上させることができる。
第６の発明に係る電熱工具は、前記第５の発明に係る電熱工具において、前記工具収納保持部には、収納保持している前記工具本体の少なくとも発熱部位を冷却する冷却作用部が設けられていることを特徴とする。この第６の発明に係る電熱工具によれば、工具収納保持部には、収納保持している工具本体の少なくとも発熱部位を冷却する冷却作用部が設けられているので、例えば工具本体の使用が終了した場合に、この工具本体の少なくとも発熱部位を冷却して工具収納保持部に収納しておくことができる。これによって、工具本体が冷めるのを早めることができて、ユーザの管理負担を軽減することができて、電熱工具としての利便性を向上させることができる。
【０００９】
第７の発明に係る電熱工具は、前記第５または前記第６の発明に係る電熱工具において、前記制御部は、前記工具収納保持部に収納した前記工具本体の収納時間に要因して、前記ケーブルを介して前記電源装置体から前記工具本体に送る電力を停止することを特徴とする。この第７の発明に係る電熱工具によれば、制御部は、工具収納保持部に収納した工具本体の収納時間に要因してケーブルを介して電源装置体から工具本体に送る電力を停止するので、例えば工具本体の使用が終了した場合に、工具本体への無駄に電力供給しなくなり、無駄な電力コストを削減することができる。これによって、無駄な電力コストを削減できて、電熱工具として経済性を高めることができる。
第８の発明に係る電熱工具は、前記第１から前記第７のいずれかの発明に係る電熱工具において、前記電源装置体には、該電源装置体を引掛けられるようにするフック部が設けられていることを特徴とする。この第８の発明に係る電熱工具によれば、電源装置体には、電源装置体を引掛けられるようにするフック部が設けられているので、例えばユーザのベルト等にフック部を引掛けることができる。これによって、電源装置体を携帯することができて、電熱工具としての利便性を向上させることができる。
【００１０】
第９の発明に係る電熱工具は、前記第１から前記第８のいずれかの発明に係る電熱工具において、前記電源装置体に装着されて電源となる充電式バッテリは、電動工具の工具本体に装着されて該電動工具の電源となる電動工具用の充電式バッテリであることを特徴とする。この第９の発明に係る電熱工具によれば、電源装置体に装着されて電源となる充電式バッテリは、電動工具の工具本体に装着されて電動工具の電源となる電動工具用の充電式バッテリであるので、充電式バッテリとして汎用性の高いものを利用することができる。これによって、ほかの電動工具に利用していた充電式バッテリを共用することができて、ユーザにとって電源が確保し易い電熱工具とすることができる。
第１０の発明に係る電熱工具は、前記第１から前記第９のいずれかの発明に係る電熱工具において、前記電源装置体で、前記充電式バッテリの電圧に基づいて、前記工具本体に送る電力を停止することを特徴とする。この第１０の発明に係る電熱工具によれば、充電式バッテリの電圧に基づいて工具本体に送る電力を、電源装置体によって停止することができる。これによって、万が一、充電式バッテリから送られる信号が常に放電を許可する類の信号となってしまった場合でも、電源装置体が充電式バッテリから送られてくる電力の電圧を監視することによって、この電源装置体自身の判断に基づいて工具本体に送る電力を停止することができる。このようにして、充電式バッテリが過放電しそうな場合であっても、このような過放電を停止させて充電式バッテリの保護を図ることができる。また、この第１０の発明に係る電熱工具によれば、装着される充電式バッテリのタイプが、放電許可あるいは放電禁止に関する信号を生成（送信）しないタイプの場合でも、電源装置体によって電力の電圧を監視することができて、この電源装置体自体によって工具本体に送る電力を停止することができる。
【発明の効果】
【００１１】
第１の発明に係る電熱工具によれば、家庭用電源が確保できない作業場においても使用することができ、経済性にも優れ、半田付け作業を行う上で操作性を向上させる。
第２の発明に係る電熱工具によれば、ユーザにとって充電式バッテリの残容量に応じた電熱工具の使用が可能となり、ユーザの作業性を高めることができる。
第３の発明に係る電熱工具によれば、発熱部を作業に適した温度に設定することができて、ユーザの作業性を高めることができる。
第４の発明に係る電熱工具によれば、電源装置体に対して相違する電圧の充電式バッテリを装着することができて、電熱工具としての利便性を向上させることができる。
第５の発明に係る電熱工具によれば、ユーザの扱い易さを高めることができて、電熱工具としての利便性を向上させることができる。
第６の発明に係る電熱工具によれば、ユーザの管理負担を軽減することができて、電熱工具としての利便性を向上させることができる。
第７の発明に係る電熱工具によれば、無駄な電力コストを削減できて、電熱工具として経済性を高めることができる。
第８の発明に係る電熱工具によれば、電源装置体を携帯することができて、電熱工具としての利便性を向上させることができる。
第９の発明に係る電熱工具によれば、ほかの電動工具に利用していた充電式バッテリを共用することができて、ユーザにとって電源が確保し易い電熱工具とすることができる。
第１０の発明に係る電熱工具によれば、充電式バッテリを過放電から保護することができつつ、放電に関する信号を生成（送信）しない充電式バッテリでも工具本体に送る電力を停止することができる。
【図面の簡単な説明】
【００１２】
【図１】半田ごて装置の概念を簡略化して示す概念簡略模式図である。
【図２】半田ごて装置の機能を概念として区分けして示すブロック図である。
【発明を実施するための形態】
【００１３】
以下、本発明に係る電熱工具を実施するための実施の形態について図面を参照しながら説明する。
図１の概念簡略模式図では、本発明に係る電熱工具の例となる半田ごて装置１０の概念を簡略化して示している。また、図２のブロック図は、半田ごて装置１０の機能を概念として区分けして示している。半田ごて装置１０は、概略、図１および図２に示すように、本発明に係る工具本体としてのこて本体２０と、各種制御を行うコントローラ４２を具備しつつ充電式バッテリ６０を装着可能とされる電源装置体４０と、こて本体２０と電源装置体４０とを互いに電気的に接続するケーブル３０と、を備える。
こて本体２０は、本発明に係る工具本体に相当する。このこて本体２０は、家庭用電源（ＡＣ電源）からの電力供給により使用される、一般的な電気半田ごてと略同様に構成される。すなわち、こて本体２０は、基端側に後に説明するケーブル３０が接続されるケーブル接続部２１が設けられており、先端側にこて先２２が設けられている。このこて先２２の内部には、電力を熱力に変換して発熱するヒータ２３が内蔵される。このヒータ２３は、本発明に係る発熱部に相当し、後に説明するケーブル３０を介して送られる電力を熱力に変換する。変換した熱力は、半田を溶融する加熱力となる。
【００１４】
また、図１では見えないが、このヒータ２３の近くには、温度検出装置２４が配設されている（図２参照）。この温度検出装置２４は、こて先２２の温度を検出する装置であり、具体的にはサーミスタにて構成される。この温度検出装置２４により検出したこて先２２の温度は、情報信号の１つとしてケーブル３０を介して電源装置体４０のコントローラ４２に送られる。
また、こて本体２０の中間部分からケーブル接続部２１が配設される基端までの間は、ユーザに手握りされるグリップ部２５として形成されている。このグリップ部２５の内部には、こて先２２の内部の部品（ヒータ２３、温度検出装置２４）をケーブル３０に電気的に接続する、電気接続構造が配設されている。
なお、このヒータ２３としては、電力を熱力に変換して発熱する構成であればよく、公知のセラミックヒータ、公知のニクロム線ヒータ（抵抗体）等により構成されるものであってもよい。また、この温度検出装置２４にあっても、上記したサーミスタに代えて、適宜のダイオードや熱電対により構成されるものであってもよい。このこて本体２０は、次に説明する電源装置体４０を電力供給源とし、ケーブル３０を介して電力供給される。
【００１５】
電源装置体４０は、こて本体２０の電力供給源として構成される装置である。この電源装置体４０は、図１に示すように電源となる充電式バッテリ６０が装着される。このため、この電源装置体４０には、図１の概念模式図では見えないが、充電式バッテリ６０を装着するためのバッテリ装着装置４４が設けられている。このバッテリ装着装置４４には、複数種類の電圧の充電式バッテリが装着できるように形成されている。具体的には、このバッテリ装着装置４４には、電圧が１４．４Ｖに設定される充電式バッテリや、電圧が１０．８Ｖに設定される充電式バッテリ、電圧が７．２Ｖに設定される充電式バッテリ、さらには電圧が３６Ｖに設定される充電式バッテリ等の、複数種類の相違する電圧の充電式バッテリを装着することができるように形成されている。
【００１６】
ところで、電源装置体４０に装着される充電式バッテリ６０は、電動工具の工具本体に装着されて電動工具の電源となる電動工具用の充電式バッテリにて構成される。なお、この電動工具としては、インパクトドライバ、インパクトレンチ、レシプロソー、・・・等の電動工具が挙げられる。また、充電式バッテリ６０は、専用の充電器にて充電可能に構成されるものであり、充放電に有利なＬｉ−ｉｏｎ（リチウムイオン）バッテリである。この充電式バッテリ６０は、筐体内部に、充放電される電池セルが内蔵されるとともに、これら電池セルの充放電に関しての判断および制御をするマイコンも内蔵される。この充電式バッテリ６０のマイコンは、筐体内部の電池セルの充放電状態を判断し、装着される電気機器（半田ごて装置１０そのほか充電器等を含む）に対して、判断した内容を情報信号として送信する。また、このマイコンは、この装着される電気機器からの制御信号を受信して、筐体内の電池セルの充放電を制御する。なお、このマイコンが送受信する信号には、筐体内部の電池セルの放電をストップさせる信号が含まれる。
上記した充電式バッテリ６０が装着される電源装置体４０には、図２に示すように、コントローラ４２が内蔵される。このコントローラ４２は、本発明に係る制御部に相当する。このコントローラ４２は、主としてバッテリ装着装置４４（不図示）に装着された充電式バッテリ６０の放電を制御する。このため、このコントローラ４２は、各種の情報信号および電気出力を受けることができるように構成されるとともに、各種の制御信号および電気出力を送ることができるように構成される。このコントローラ４２は、適宜に演算可能に構成されていればよく、例えば、ＣＰＵ（central processing unit）を含む構成や、論理回路、マイコン等により構成されるものであればよい。このため、図２に示すように、コントローラ４２には、上記したバッテリ装着装置４４のほか、操作装置４６、こて収納検出装置４８が、これらの装置から情報信号を受けることができるように接続されている。さらに、このコントローラ４２には、電源遮断装置５１、出力調整装置５２、昇降圧装置５３、冷却装置５４、表示装置５５、電圧監視装置５６が、これらの装置に制御信号を送ることができるように接続されている。
【００１７】
バッテリ装着装置４４は、上記したとおり、装着される充電式バッテリ６０から、出力電力を受けるとともに情報信号を受信する。このため、バッテリ装着装置４４には、充電式バッテリ６０から電力を受ける接続端子が設けられているとともに、充電式バッテリ６０から情報信号を受信する受信端子が設けられている。このバッテリ装着装置４４の、充電式バッテリ６０から受けた電力と、充電式バッテリ６０から受信した情報信号とは、このままコントローラ４２に向けて送られる。なお、この充電式バッテリ６０から受信する情報信号には、例えば充電式バッテリ６０の充電残容量が少なくなっているとの情報等が含まれる。このような情報信号を受信したコントローラ４２は、こて本体２０に送る電力の停止するように各種の制御信号を送る。このように送られる制御信号によって、後に説明する電源遮断装置５１は、コントローラ４２により、電源装置体４０からこて本体２０に電力を送ることを停止するように制御される。なお、このような制御信号をバッテリ装着装置４４に送ることにより、装着される充電式バッテリ６０自体の放電を停止させるようにしてもよい。
操作装置４６は、ユーザが半田ごて装置１０を操作するための操作スイッチであり、こて本体２０のこて先２２の温度を調整するように操作入力ができるようになっている。具体的には、図１に示すように、操作装置４６は、電源装置体４０の上面にて配設される押下式の接点スイッチにて構成される。この操作装置４６は、ユーザの操作入力によって、該操作入力に関する情報信号をコントローラ４２に送信するようになっている。
こて収納検出装置４８は、後に説明するこて収納保持部５７にこて本体２０が収納保持されているかを検出する。また、このこて収納検出装置４８は、収納保持されているこて本体２０のこて先２２の温度を検出する。具体的には、図１に示すように、こて収納検出装置４８は、こて収納保持部５７に対して近接する位置に配設されている。このこて収納検出装置４８は、感熱センサにて構成され、こて本体２０の収納保持に関する情報信号をコントローラ４２に送信するようになっている。
【００１８】
電源遮断装置５１は、例えばＦＥＴ（field-effect transistor）となる半導体スイッチにて構成され、コントローラ４２からの制御信号の受信に応じて、充電式バッテリ６０から送られてくる電力を遮断する。なお、この電源遮断装置５１は、適宜の継電器（リレー）等にて構成されるものであってもよい。
電圧監視装置５６は、充電式バッテリ６０が放電する電圧を監視している。この電圧監視装置５６は、充電式バッテリ６０が放電する電圧が、予め設定される規定電圧より下回っていたり、或いは予め設定される規定電圧を超えていたりする場合に、上記した電源遮断装置５１により充電式バッテリ６０から送られてくる電力を遮断するように構成される。なお、この電源遮断装置５１による充電式バッテリ６０から送られてくる電力の遮断は、充電式バッテリ６０の放電電圧を監視する電圧監視装置５６によるものであり、電圧監視装置５６の内部に予め設定される規定数値に従うようにされていればよい。
出力調整装置５２は、例えばスイッチング型の回路（電力変換器）にて構成され、コントローラ４２からの制御信号の受信に応じて、こて本体２０に送る電力を調整する。なお、この出力調整装置５２は、コントローラ４２からの制御信号を受信した場合に、公知のＰＷＭ（pulse width modulation）制御などによって、こて本体２０に送る電力を調整する。これによって、出力調整装置５２は、コントローラ４２から送られる制御信号に基づき、ヒータ２３の発熱する発熱温度を調整する。
昇降圧装置５３は、本発明に係る昇降圧部に相当し、コントローラ４２からの制御信号の受信に応じて、電源装置体４０に装着された充電式バッテリ６０から送られる電力の電圧（放電電圧）を、昇圧あるいは降圧する。具体的には、昇降圧装置５３は、スイッチング型の回路（昇降圧チョッパ回路）にて構成される。この昇降圧装置５３は、コントローラ４２から制御信号を受信した場合に、公知のＰＷＭ（pulse width modulation）制御を利用する所謂チョッパ制御等によって、充電式バッテリ６０から送られる電力の電圧を昇圧あるいは降圧する。例えば、この半田ごて装置１０の定格電圧を１４．４Ｖに設定している場合には、次のように昇降圧装置５３は作動する。すなわち、バッテリ装着装置４４に電圧が１０．８Ｖの充電式バッテリ６０を装着した際には、コントローラ４２は昇降圧装置５３に昇圧させる旨の制御信号を送る。これによって、昇降圧装置５３は、１０．８Ｖよりも高い電圧に昇圧させる。これに対して、バッテリ装着装置４４に電圧が３６Ｖの充電式バッテリ６０を装着した際には、コントローラ４２は昇降圧装置５３に降圧させる旨の制御信号を送る。これによって、昇降圧装置５３は、３６Ｖよりも低い電圧に降圧させる。
【００１９】
冷却装置５４は、本発明に係る冷却作用部に相当する。すなわち、冷却装置５４は、コントローラ４２からの制御信号の受信に応じて、こて収納保持部５７に収納保持されるこて本体２０のこて先２２を冷却する。具体的には、図１に示すように、冷却装置５４は、こて収納保持部５７に収納保持されるこて本体２０の発熱部位となるこて先２２を冷却するように、風を送る軸流ファンを具備して構成される。この冷却装置５４は、こて収納検出装置４８からの情報信号に基づいたコントローラ４２の判断に要因して、送るべき風力が制御されている。なお、この冷却装置５４は、このこて本体２０の全体を冷却するように構成されるものであってもよい。
表示装置５５は、コントローラ４２からの制御信号の受信に応じて、ユーザにとって視認できるように表示出力する。具体的には、図１に示すように、表示装置５５は、電源装置体４０の上面にて配設される液晶パネルにて構成される。この表示装置５５は、この半田ごて装置１０自体の状態を表示するほか、上記した操作装置４６からの操作入力に関する情報も表示するようになっている。なお、これらを表示するための情報は、コントローラ４２から送信される制御信号に含まれる。
【００２０】
また、図１に示すように、電源装置体４０には、こて本体２０を収納保持するこて収納保持部５７が設けられている。このこて収納保持部５７は、本発明に係る工具収納保持部に相当し、こて本体２０を収納可能な適宜の円筒形状に形成される。このこて収納保持部５７にこて本体２０を熱いままで収納すると、上記したこて収納検出装置４８が、こて収納保持部５７にこて本体２０が収納保持されていることを検出する。ここで、コントローラ４２は、こて収納保持部５７に収納したこて本体２０の収納時間に要因して、ケーブル３０を介して電源装置体４０からこて本体２０に送る電力を停止するようになっている。具体的には、コントローラ４２は、上記した収納検出装置４８からの情報信号に基づいて、こて収納保持部５７に収納したこて本体２０の収納時間を計算し、この収納時間が予め設定される時間に達したとコントローラ４２が判断した場合には、電源遮断装置５１によって充電式バッテリ６０から送られてくる電力を遮断する。このようにしてコントローラ４２は、ケーブル３０を介して電源装置体４０からこて本体２０に送る電力を停止する。
また、図１に示すように、電源装置体４０には、この電源装置体４０を引掛けられるようにするためのフック５８が設けられている。このフック５８は、本発明に係るフック部に相当し、適宜の金属ばね構造を有する。図１に示すように、このフック５８は、電源装置体４０の側面にて配設される、例えばユーザの腰ベルト等に引掛けることができるフック形状にて形成される。また、この電源装置体４０には、上記したようにケーブル３０を接続するためのケーブル接続部５９が配設されている。
【００２１】
図１および図２に示すように、こて本体２０と電源装置体４０とは、ケーブル３０にて接続されている。このケーブル３０は、一般的なケーブルと略同様、柔らかく撓むことが可能なケーブルにて構成されている。このケーブル３０は、上記した電源装置体４０からこて本体２０に向けて電力を送ることができるように構成されつつ、上記したこて本体２０から電源装置体４０に向けて情報信号を送ることができるように構成される。
具体的には、ケーブル３０は、電力を供給可能な電線と情報信号を送信可能な電線とを具備し、これら電線の外周に柔らかい被覆絶縁部材が配設されている。このケーブル３０は、こて本体２０と電源装置体４０との機能に関する構造を分離しつつ、こて本体２０と電源装置体４０とを互いに電気的に接続している。つまり、コントローラ４２の制御に要因して、電源装置体４０に装着された充電式バッテリ６０の電力をこて本体２０のヒータ２３に送るにあたり、これら電源装置体４０とこて本体２０とを互いに電気的に接続するケーブル３０を介して、電源装置体４０からこて本体２０に電力を送る。
なお、このケーブル３０の一端は、こて本体２０のケーブル接続部２１に対して着脱可能に接続できるように構成されている。また、ケーブル３０の他端は、電源装置体４０のケーブル接続部５９に対して着脱可能に接続できるように構成されている。なお、ケーブル接続部２１，５９に対してのケーブル３０の接続は、このように着脱可能とする構成に限定されず、完全に一体化する固定構造となっていてもよい。
【００２２】
上記した半田ごて装置１０によれば、次の作用効果を奏することができる。
すなわち、上記した半田ごて装置１０によれば、電源装置体４０とこて本体２０とを互いに電気的に接続するケーブル３０を介して電源装置体４０の充電式バッテリ６０からこて本体２０に電力を送るようになっているので、電源装置体４０とこて本体２０との機能に関する構造を分離できつつ、電源装置体４０からこて本体２０への電力の送りが可能となる。これによって、電源等に関しての重量をユーザが手で持って扱うこて本体２０から切り離すことができて、半田ごて装置１０として手で持つ重量を軽くすることができて、ユーザが扱うにあたってのハンドリングを向上させることができる。したがって、上記した半田ごて装置１０によれば、電源として充電式バッテリ６０を利用しているので、電源として家庭用電源（ＡＣ電源）が確保できない作業場においても使用することができ、電源として繰り返し利用することができて経済性にも優れ、さらに半田付け作業を行う上で操作性を向上させることができる。また、上記した半田ごて装置１０によれば、電源装置体４０に装着されて電源となる充電式バッテリ６０は、電動工具の工具本体に装着されて電動工具の電源となる電動工具用の充電式バッテリ６０であるので、充電式バッテリ６０として汎用性の高いものを利用することができる。これによって、ほかの電動工具に利用していた充電式バッテリ６０を共用することができて、ユーザにとって電源が確保し易い半田ごて装置１０とすることができる。また、上記した半田ごて装置１０によれば、コントローラ４２は、充電式バッテリ６０から送信される信号に基づいてこて本体２０に送る電力を停止するので、充電式バッテリ６０を電源として利用するにあたって該充電式バッテリ６０の充電残量に応じて半田ごて装置１０を使用することができる。これによって、ユーザにとって充電式バッテリ６０の残容量に応じた半田ごて装置１０の使用が可能となり、ユーザの作業性を高めることができる。
【００２３】
また、上記した半田ごて装置１０によれば、コントローラ４２はヒータ２３の発熱温度を調整するので、ヒータ２３を作業に適した温度に設定することができて、ユーザの作業性を高めることができる。また、上記した半田ごて装置１０によれば、コントローラ４２には電源装置体４０に装着された充電式バッテリ６０の放電電圧を昇降圧させる昇降圧装置５３が設けられているので、この電源装置体４０に装着された充電式バッテリ６０の電圧を変圧して、こて本体２０に電力を送ることができる。これによって、電源装置体４０に対して相違する電圧の充電式バッテリ６０を装着することができて、半田ごて装置１０としての利便性を向上させることができる。また、上記した半田ごて装置１０によれば、電源装置体４０にはこて本体２０を収納保持するこて収納保持部５７が設けられているので、例えばこて本体２０を使用しない場合に、このこて本体２０をこて収納保持部５７に収納しておくことができる。これによって、こて本体２０を載置したりや収納したりする受け部材を廃止することができて、ユーザの扱い易さを高めることができて、半田ごて装置１０としての利便性を向上させることができる。また、上記した半田ごて装置１０によれば、こて収納保持部５７には、収納保持しているこて本体２０の少なくともこて先２２を冷却する冷却装置５４が設けられているので、例えばこて本体２０の使用が終了した場合に、このこて本体２０の少なくともこて先２２を冷却してこて収納保持部５７に収納しておくことができる。これによって、こて本体２０が冷めるのを早めることができて、ユーザの管理負担を軽減することができて、半田ごて装置１０としての利便性を向上させることができる。また、上記した半田ごて装置１０によれば、コントローラ４２は、こて収納保持部５７に収納したこて本体２０の収納時間に要因してケーブル３０を介して電源装置体４０からこて本体２０に送る電力を停止するので、例えばこて本体２０の使用が終了した場合に、こて本体２０への無駄に電力供給しなくなり、無駄な電力コストを削減することができる。これによって、無駄な電力コストを削減できて、半田ごて装置１０として経済性を高めることができる。また、上記した半田ごて装置１０によれば、電源装置体４０には、電源装置体４０を引掛けられるようにするフック５８が設けられているので、例えばユーザのベルト等にフック５８を引掛けることができる。これによって、電源装置体４０を携帯することができて、半田ごて装置１０としての利便性を向上させることができる。また、上記した半田ごて装置１０によれば、充電式バッテリ６０の電圧に基づいてこて本体２０に送る電力を、電圧監視装置５６を具備する電源装置体４０によって停止することができる。これによって、万が一、充電式バッテリ６０から送られる情報信号が常に放電を許可する類の信号となってしまった場合でも、電源装置体４０の電圧監視装置５６が充電式バッテリ６０から送られてくる電力の電圧を監視することによって、この電源装置体４０自身の判断に基づいてこて本体２０に送る電力を停止することができる。このようにして、充電式バッテリ６０が過放電しそうな場合であっても、このような過放電を停止させて充電式バッテリ６０の保護を図ることができる。なお、上記した半田ごて装置１０によれば、装着される充電式バッテリのタイプが、放電許可あるいは放電禁止に関する信号を生成（送信）しないタイプの場合でも、電源装置体４０によって電力の電圧を監視することができて、この電源装置体４０自体によってこて本体２０に送る電力を停止することができる。
【００２４】
なお、本発明に係る電熱工具にあっては、上記した実施の形態に限定されるものではなく、次のように適宜個所を変更して構成するようにしてもよい。
例えば、上記した実施の形態では、半田ごて装置１０を電熱工具の例として説明するものであった。しかしながら、本発明に係る電熱工具としては、これに限定されることなく、電力を熱力に変換する発熱回路を具備して構成されるものであればよく、例えば、半田吸取り器、半田ツィーザ、ヒートガン等により構成されるものであってもよい。
また、上記した実施の形態では、電動工具の電源となる電動工具用の充電式バッテリ６０を充電式バッテリの例として説明するものであった。しかしながら、本発明に係る充電式バッテリとしては、これに限定されることなく、家庭用電源（ＡＣ電源）等から充電器を介して充電可能に構成され、適宜の他の用途に利用されるように構成される充電式バッテリであれば足りるものである。また、上記した充電式バッテリ６０としては、Ｌｉ−ｉｏｎ（リチウムイオン）バッテリにて構成されるものであったが、Ｎｉ−Ｃｄ（ニッカド）バッテリ、Ｎｉ−ＭＨ（ニッケル水素）バッテリ等の、適宜の材料にて構成される充電式バッテリにて構成されるものであってもよい。
また、上記した実施の形態の半田ごて装置１０にあっては、充電式バッテリ６０が装着されるバッテリ装着装置４４のほか、操作装置４６、こて収納検出装置４８、電源遮断装置５１、出力調整装置５２、昇降圧装置５３、冷却装置５４、表示装置５５、が具備されている電源装置体４０について例示して説明するものであった。しかしながら、本発明に係る電源装置体としては、上記した電源装置体４０の例に限定されることなく、例えば、上記した操作装置４６、こて収納検出装置４８、電源遮断装置５１、出力調整装置５２、昇降圧装置５３、冷却装置５４、表示装置５５のうち、いずれか１つまたはいずれか複数が配設されていないものであってもよく、さらに言えば、このほかに適宜の装置が配設されるものであってもよいものである。ただ、電源遮断装置５１を配設しない場合には、充電式バッテリ６０に内蔵されるマイコンを利用して、充電式バッテリの放電停止を制御する必要がある。
【符号の説明】
【００２５】
１０  半田ごて装置（電熱工具）
２０  こて本体（工具本体）
２１  ケーブル接続部
２２  こて先
２３  ヒータ（発熱部）
２４  温度検出装置
２５  グリップ部
３０  ケーブル
４０  電源装置体
４２  コントローラ（制御部）
４４  バッテリ装着装置
４６  操作装置
４８  収納検出装置
５１  電源遮断装置
５２  出力調整装置
５３  昇降圧装置（昇降圧部）
５４  冷却装置（冷却作用部）
５５  表示装置
５６  電圧監視装置
５７  こて収納保持部（工具収納保持部）
５８  フック（フック部）
５９  ケーブル接続部
６０  充電式バッテリ
【図１】
2013193101.tif 000003
【図２】
2013193101.tif 000004